(57)【要約】  流体の処理方法及び装置において、ポンプ組立体（７）は流体源からの流体の流れをマニホールド（８）に供給する。マニホールド（８）は流体の流れを第１流体の流れと第２流体の流れとに駆動し、マニホールドからハウジング（９）に供給する。ハウジング（９）内には第１渦流型ノズル（２７）と第２渦流型ノズル（２８）が対向して配置される。第１流体の流れは第１渦流型ノズル（２７）へ供給され、第１回転流体の流れを生じさせ、第２流体の流れは第２渦流型ノズル（２８）へ供給され、第２回転流体の流れを生じさせる。第１渦流型ノズル（２７）及び第２渦流型ノズル（２８）は衝突室（８９）で第１回転流体の流れと第２回転流体の流れとを衝突させ、それにより流体を処理する。
2005511286.tif 000002
【特許請求の範囲】
【請求項１】
流体源と結合した入口及び流体源からの出口を備えたポンプ、渦流型ノズル組立体を備えたハウジング、及びポンプの出口及びハウジングに結合されたマニホールドを含み、
前記マニホールドはハウジングに流体を流すようにされる流体の処理装置。
【請求項２】
更にポンプを支持するポンプ支持体を含む請求項１記載の流体の処理装置。
【請求項３】
前記ポンプ支持体はポンプを後方向に運動させる請求項２記載の流体の処理装置。
【請求項４】
前記ポンプ支持体はポンプを回動させる請求項２記載の流体の処理装置。
【請求項５】
前記ポンプはポンプインぺラをステージングさせるように垂直に向けられる請求項１記載の流体の処理装置。
【請求項６】
更にフレームを有する請求項１記載の流体の処理装置。
【請求項７】
前記フレームは流体源をポンプに配管接続することによるポンプの負荷を防ぐようにポンプを支持する請求項６記載の流体の処理装置。
【請求項８】
前記フレームはハウジングを支持する請求項６記載の流体の処理装置。
【請求項９】
更にハウジングからフレームへのノイズの伝達を阻止するようにフレームとハウジングとの間にブッシュを含む請求項８記載の流体の処理装置。
【請求項１０】
前記マニホールドはポンプから流体の流れを受け、流体の流れを第１流体の流れと第２流体の流れとに分ける請求項１記載の流体の処理装置。
【請求項１１】
前記マニホールドはポンプの出口と結合した入口を備える請求項１記載の流体の処理装置。
【請求項１２】
前記マニホールドは入口と結合した流れ分割装置を備え、それにより流れ分割装置が、ポンプから入口を介して流体の流れを受け、流体の流れを第１流体の流れと第２流体の流れとに分ける請求項１１記載の流体の処理装置。
【請求項１３】
前記流れ分割装置が、流体の流れを入口から第１流体の流れ及び第２流体の流れに平滑に遷移させるようにＹ字状に構成される請求項１２記載の流体の処理装置。
【請求項１４】
前記マニホールドは流れ分割装置と結合されかつ第１流体の流れを受けるようにされた第１エルボを備える請求項１２記載の流体の処理装置。
【請求項１５】
前記マニホールドは、流れ分割装置と結合されかつ第２流体の流れを受けるようにされた第２エルボを備える請求項１２記載の流体の処理装置。
【請求項１６】
前記マニホールドは、第１エルボに結合した第１継手を備え、それにより第１継手が第１流体の流れを受け、第１流体の流れをハウジングへ供給する請求項１４記載の流体の処理装置。
【請求項１７】
前記第１継手はマニホールドからハウジングへの音の伝達を低減するように可撓性である請求項１６記載の流体の処理装置。
【請求項１８】
前記マニホールドは第２エルボに結合した第２継手を備え、それにより第２継手が第２流体の流れを受け、第２流体の流れをハウジングへ供給する請求項１５記載の流体の処理装置。
【請求項１９】
前記第２継手は、マニホールドからハウジングへの音の伝達を低減するように可撓性である請求項１８記載の流体の処理装置。
【請求項２０】
前記ハウジングは、第１流体の流れを受ける第１入口及び第２流体の流れを受ける第２入口を備える請求項１０記載の流体の処理装置。
【請求項２１】
前記渦流型ノズル組立体は第１渦流型ノズルを備え、第１渦流型ノズルは、ハウジング内に位置決めした第２渦流型ノズルに相対して、ハウジング内に位置決めされる請求項２０記載の流体の処理装置。
【請求項２２】
前記ハウジングは第１流体の流れを第１渦流型ノズルへ供給する第１空洞を画定し、それにより第１渦流型ノズルが流体を受けて流体を回転させ、それにより第１回転流体の流れを生じさせる請求項２１記載の流体の処理装置。
【請求項２３】
前記ハウジングは、第２流体の流れを第２渦流型ノズルへ供給する第２空洞を画定し、それにより第２渦流型ノズルが流体を受けて流体を回転させ、それにより第２回転流体の流れを生じさせる請求項２１記載の流体の処理装置。
【請求項２４】
前記第２渦流型ノズルに相対して第１渦流型ノズルをハウジング内に位置決めすることで、第１回転流体の流れと第２回転流体の流れとを衝突させる衝突室を画定する請求項２１記載の流体の処理装置。
【請求項２５】
前記衝突室はハウジングの出口に連通する請求項２４記載の流体の処理装置。
【請求項２６】
前記出口は、衝突室内に洪水状態を維持するように衝突室の上方に配置される請求項２５記載の流体の処理装置。
【請求項２７】
前記出口は、衝突室からの流体の流れを水平に再指向させるエルボを備える請求項２５記載の流体の処理装置。
【請求項２８】
前記ハウジングは、渦流型ノズル組立体内の真空度を測定させる開口を備える請求項１記載の流体の処理装置。
【請求項２９】
前記ハウジングは、開口を覆って配置される自己作動シールを備える請求項２８記載の流体の処理装置。
【請求項３０】
前記自己作動シールは端部キャップ内に嵌合するようにされた案内シールを備える請求項２９記載の流体の処理装置。
【請求項３１】
更にキャビネットを含む請求項１記載の流体の処理装置。
【請求項３２】
前記キャビネットはマニホールド及びハウジング内を動く流体によって発生した雑音を低減する音響壁を備える請求項３１記載の流体の処理装置。
【請求項３３】
第１渦流型ノズルを第２渦流型ノズルに対向して位置決めする段階、第１渦流型ノズルを取り巻く空洞内に第１流体の流れを流入させる段階、第１流体の流れから第１渦流型ノズルへ流体を流入して第１回転流体の流れを生じさせる段階、第２渦流型ノズルを取り巻く空洞内に第２流体の流れを流入させる段階、第２流体の流れから第２渦流型ノズルへ流体を流入して第２回転流体の流れを生じさせる段階、及び衝突室で第１回転流体の流れを第２回転流体の流れに衝突させる段階を含む流体の処理方法。
【請求項３４】
更に前記衝突室から衝突室の上方に位置した出口を通って流体を送出する段階を含む請求項３３記載の流体の処理方法。
【請求項３５】
更に流体源から流体の流れを供給する段階、及び流体の流れをマニホールドに流入して第１流体の流れと第２流体の流れとに分ける段階を含む請求項３３記載の流体の処理方法。
【請求項３６】
前記マニホールドは流体の流れを第１流体の流れ及び第２流体の流れに平滑に遷移させるようにＹ字状流れ分割装置を備える請求項３５記載の流体の処理方法。
【請求項３７】
前記マニホールドは音減衰を行うように可撓性である継手を備える請求項３５記載の流体の処理方法。
【請求項３８】
真空測定を行う渦流型ノズルを製造する方法であって、
内部に渦流型ノズルを備えるハウジングへ開口を介し導管を挿入する段階、渦流型ノズルの空洞内に導管の一端を配置する段階、開口上に自己作動シールを固定する段階を含む方法。
【発明の詳細な説明】
【関連出願の相互参照】
【０００１】
本願は、２００１年７月５日に出願した出願第０９／８９９，４６７号の一部継続出願である。
【技術分野】
【０００２】
本発明は、流体の処理方法及び装置に、そして特に本発明を限定しない事例として内部に収容した渦流型ノズル組立体（a vortex nozzle assembly）に流体を輸送する改良型の流体供給システムに関する。
【背景技術】
【０００３】
米国特許第４２６１５２１号明細書（特許文献１）には、ハウジング内に一対の渦流型ノズルを対向させて位置決めして構成した渦流型ノズル組立体が記載される。ハウジングは、ノズルとそれらのそれぞれのノズル出口との軸線方向整列を維持し、更には渦流型ノズル内へ流体を導入する。流体は、円環状空洞に接した真直ぐで丸い口部を通って各渦流型ノズルの内部テーパー状渦流型管に流入する。円環状空洞は、ノズル軸線に垂直なテーパー状円錐渦流型管の大きな端部に隣接する。流体はこの円環状部分から出て、更に流体が連続して口部に流入するので、ノズル軸線に向ってらせん状に進んでいく。円環状形態から円錐状形態への移行は臨界的である。円錐形の内側縁部が円環形の外側に接すると、流体は迅速に流出して渦流型管の内部に完全に集中する。逆に、円錐形の内側縁部が円環形の底部四分円で始まる場合には、流出する流体は入ってくる流れと干渉して大きな乱流を生じさせる。
【０００４】
流体が各渦流型管かららせん状に強制されるので、遠心力でテーパー状の渦流型管の側に対して流体の円形部分を押し付ける。この作用は、流体が出口に向ってらせん状になるにつれて流体を加速させ、渦流型室内に空洞を生じさせる。流体が渦流型管の壁から出て行く際には、流体は半径方向に加速して中空円錐形となる。一つの渦流型ノズルからの中空流体円錐体は、ハウジング内で他の渦流型ノズルからの中空流体円錐体と衝突し、流体で覆った閉じた室を形成する。この閉じた室は渦流の遠心力エネルギーで生じた空洞のために実質的な真空を生成する。この実質的な真空の存在で二つの中空流体円錐体の衝突によるエネルギーは、流体を変化させる。
【０００５】
流体で一様で薄い膜を形成するのが望ましくしかも有益であり、渦流室の効果に対して流体の最大の表面積を与える。更に、流体のこの薄い膜は渦流反応室の内部液体壁となる。流体が、ノズルを出て行く際に、テーパー状渦流型管の壁の下方で一様に分布されない場合には、二つのノズル間の衝突パターンは不安定となり、ノズル性能が無能となる。流体分布のこれらの不規則性は、ノズルの軸線に垂直に入る単一円形流体断面で始まる際に固有のものである。
【０００６】
渦流型管の長さを長くすると、流体が一層安定な流れパターンとなり得ることにより一様な膜の生成には助けとなるが、その反面、長さを長くすると摩擦損失が大きく増大する。これらの摩擦損失は、ノズルを出て行く二つの中空流体円錐体が衝突する際に、衝突エネルギーを減少させ、それによりノズルの効率を制限する。また長さを長くすると、その長さが渦流型管の大きな端部に付加されなければならないので利用できる遠心力エネルギーが低減する。これにより円環状部分が大きくなり、所与流入速度に対する回転速度が減少する。
【０００７】
米国特許第５４３５９１３号明細書（特許文献２）には、単一の入口ポートを避けるため各ノズルに別のインライン渦流型管を取付けることが記載される。これは、特に対を成す渦流型管が互いに適当に寸法決めされかつ位置決めされる場合には、ある有益な効果をもたらす。しかし、タンデム（縦並び）構造のノズル対を適当に寸法決めしかつ位置決めすることは簡単でないことがわかる。渦流型管は互いに拡大するよりむしろ干渉し合うので相対寸法及び位置を注意深く決めなければならない。
【特許文献１】米国特許第４２６１５２１号
【特許文献２】米国特許第５４３５９１３号
【０００８】
従って、内部に収容した渦流型ノズル組立体に流体を輸送する改良型の流体供給システムに対する長期感知の要求があった。改良型の流体供給システムは流体を比較的効率的に輸送し、渦流型組立体の個々の渦流型ノズルに比較的一様な膜厚を可能にする。改良型の流体供給システムは更に、単一入口か又はタンデムノズル構造でじっしされるので、応用構造の許容範囲が大きくしかも構成が複雑でない。
【発明の開示】
【発明が解決しようとする課題】
【０００９】
従って本発明の第１の目的は、音減衰特性を持つ流体の処理装置を提供することにある。本発明の別の目的は、容易に実施できる流体の処理装置を提供することにある。本発明の更に別の目的は、流体を渦流型ノズル組立体に一層効率的に輸送する流体の処理装置を提供することにある。本発明のなお別の目的、特徴及び効果は以下の説明から当業者に明らかとなる。
【課題を解決するための手段】
【００１０】
本発明によれば、流体の処理装置は、ポンプと、第１渦流型ノズルを第２渦流型ノズルに相対して位置決めして収容するハウジングと、ポンプからハウジングへ流体の流れを供給するマニホールドとを有する。ポンプは、流体源と結合した入口及びマニホールドに結合した出口を備える。ポンプは、ポンプを後方向に運動させかつ回動させるようにされたポンプ支持体に取付けられる。更に、ポンプは、ポンプインぺラをステージング（staging;多段化）させるように垂直に向けられる。ハウジングを支持するフレームは、流体源をポンプに配管接続することによるポンプの負荷を防ぐようにポンプを支持する。
【００１１】
マニホールドは、ポンプから流体の流れを受け、流体の流れを第１流体の流れと第２流体の流れとに分ける。従って、マニホールドは、ポンプの出口と結合した入口及び流体の流れを第１流体の流れと第２流体の流れとに分ける流れ分割装置を備える。マニホールドは、更に、流れ分割装置と結合された第１エルボ及び第１エルボに結合した第１継手を備え、それにより第１エルボ及び第１継手は第１流体の流れをハウジングへ供給する。マニホールドは、更にまた、流れ分割装置と結合された第２エルボ及び第２エルボに結合した第２継手を備え、それにより第２エルボ及び第２継手は第２流体の流れをハウジングへ供給する。
【００１２】
ハウジングは、第１流体の流れを受ける第１入口及び第２流体の流れを受ける第２入口を備える。ハウジングは、第１流体の流れを第１渦流型ノズルへ供給する第１空洞を画定し、それにより第１渦流型ノズルは流体を回転させ、それにより第１回転流体の流れを生じさせる。同様に、ハウジングは、第２流体の流れを第２渦流型ノズルへ供給する第２空洞を画定し、それにより第２渦流型ノズルは流体を回転させ、それにより第２回転流体の流れを生じさせる。第１、第２渦流型ノズル及びハウジングは、ハウジングの出口から流体を送出する前に、第１回転流体の流れと第２回転流体の流れとを衝突させる衝突室を画定する。
【００１３】
流体の処理方法において、第１渦流型ノズルは第２渦流型ノズルに相対して位置決めされる。第１流体の流れは第１渦流型ノズルを包囲する空洞内に流入し、そして第１流体の流れからの流体は第１渦流型ノズル内に流入し、第１回転流体の流れを生じさせる。同様に、第２流体の流れは第２渦流型ノズルを包囲する空洞内に流入し、そして第２流体の流れからの流体は第２渦流型ノズル内に流入し、第２回転流体の流れを生じさせる。更に、第１回転流体の流れは衝突室内で第２回転流体の流れと衝突する。
【００１４】
真空測定を行う渦流型ノズルの製造方法において、導管は内部に渦流型ノズルを備えるハウジングにおける開口に挿入される。導管の一端は渦流型ノズルの空洞内に配置され、開口上には自己作動シールが固定される。
【発明を実施するための最良な形態】
【００１５】
図１及び図２に示すように、第１実施形態による流体の処理装置５のキャビネット５０は、頂部カバー５１、側壁５２、５３、前壁５９及び後壁５４を備える。キャビネット５０の頂部カバー５１は側壁５２、５３、前壁５９及び後壁５４で支持され、側壁５２、５３、前壁５９及び後壁５４は基部６ａに固定される。キャビネット５０の側壁５２、５３、前壁５９及び後壁５４は、全て実質的に同じ高さであり、そして角部で当接する。四つの壁支持体５５ａ、５５ｂ、５５ｃ、５５ｄは基部６ａに固定される。
【００１６】
壁支持体５５ａ、５５ｂ、５５ｃ、５５ｄは、側壁５２、５３、前壁５９及び後壁５４の縁部が当接する角部に合致した形状の山形鉄である。側壁５２、５３、前壁５９及び後壁５４は、溝やスリット、リベット留め、締付けねじ、ナットとボルトなどのような任意適当な手段を用いて角部で、壁支持体５５ａ、５５ｂ、５５ｃ、５５ｄに固定する。
【００１７】
この第１実施形態において、前壁５９は、半円形隙間を含む二つの部分５９ａ、５９ｂに構成され、互いに固定すると、入口６０及び出口２３の通る開口が形成される。同様に、側壁５２、５３は、前方部分５２ａ、５３ａ及び後方部分５２ｂ、５３ｂを備えた部分に構成される。更に、キャビネット５０には、流体を処理する装置５のポンプ組立体７におけるポンプモーター７ｂを適切に換気する任意形態のベンチレーションスロット５６が設けられ得る。当然、電力線又はユーザーの任意の他の要求に対する開口がキャビネット５０又はベース６ａに設けられ得る。
【００１８】
この第１実施形態において、キャビネット５０の頂部カバー５１は、リベット留め、摩擦、締付けねじ、ナットとボルトなどのような任意適当な手段を用いて、側壁５２、５３、前壁５９及び後壁５４の上に固定される。頂部カバー５１の頂部カバーリップ５１ａは、頂部カバー５１の外側縁部からほぼ垂直にのび、それにより頂部カバーリップ５１ａの内側は、側壁５２、５３、前壁５９及び後壁５４の外側に接触する。
【００１９】
この第１実施形態はキャビネット５０の側壁５２、５３、前壁５９及び後壁５４に固定されるが、当業者にはわかるように、頂部カバーリップ５１ａは、キャビネット５０の側壁５２、５３、前壁５９及び後壁５４に固定できるか、又は頂部カバー５１は、キャビネット５０の側壁５２、５３、前壁５９及び後壁５４の全てに固定されずに、代りにキャビネット５０の側壁５２、５３、前壁５９及び後壁５４上に載せられる。
【００２０】
基部６ａに固定した音響壁５７はキャビネット５０内にある。この第１実施:形態において、音響壁５７は、二つの部分５７ａ、５７ｂで構成され、各部分は半円形隙間をもち、互いに固定した際に、流体を処理する装置５のポンプ組立体７のポンプハウジング７ａを通させる開口が形成される。更に、この第１実施形態では、前壁５９、前方部分５２ａ、５３ａ、音響壁５７及び頂部カバー５１は、流体を処理する装置５のハウジング９及びマニホールド８内を動く流体によって発生する騒音を低減又は除去するように構成される。
【００２１】
前壁５９、前方部分５２ａ、５３ａ、音響壁５７及び頂部カバー５１は、好ましくは音を低減するように開口を備えず、そして好ましくは、発泡体やコルクなどのような音を吸収又は抑制する材料で構成されるか又はかかる材料でライニングされる。
【００２２】
図２〜図４、図６に示すように、流体を処理する装置５は、ポンプハウジング７ａとポンプモーター７ｂを備えるポンプ組立体７を有する。ポンプ組立体７のポンプハウジング７ａは、流体源の接続点を成す入口６０及び出口１１を備える。ポンプ組立体７は、流体源から流体を装置５へポンピングできる任意のポンプである。この第１実施形態では、流体は、加圧ガス又は液体の流れのもとで供給可能な任意の流動性液体又はガス又は固体粒子である。この第１実施形態では流体を供給するポンプ組立体について説明したが、当業者には認められるように、加圧ガスキャニスターのような多くの他の適当な等価手段が可能である。
【００２３】
流体を処理する装置５はフレーム６及びポンプ支持体７０を備え、フレーム６及びポンプ支持体７０の両方はリベット留め、締付けねじ、ナットとボルトなどのような任意適当な手段を用いて基部６ａに取付けられる。ポンプ支持体７０はポンプ組立体７のポンプモーター７ｂを支持し、一方、フレーム６は、支持シェルフ７１ａ及びプレース７１ｂを介してポンプ組立体７の入口６０を支持する。フレーム６は、支持シェルフ７１ａ及びプレース７１ｂを介して入口６０を支持し、それで流体源をポンプ組立体７に接続するのに用いた配管の重さがポンプハウジング７ａに掛らないようにし、ポンプシール、ポンプ軸受及びポンプ軸を、ポンプモーター７ｂとポンプハウジング７ａとの間の接続部における過剰な重さにより生じる垂直な動きによって起きる損傷から保護する。
【００２４】
ポンプモーター７ｂはポンプ支持体７０に取付け、保守又は修理（例えばシールの交換や軸受の取付け直し）を行なうためにポンプハウジング７ａから外す際に、ポンプモーター７ｂは後壁５４に向ってポンプ支持体７０に沿って後方へ移動し得るようにする。更に、ポンプモーター７ｂは、ポンプモーター７ｂの内部にアクセスできるようにポンプ支持体７０に回動支持できる。ポンプ支持体７０のまわりのポンプモーター７ｂの動きにより、流体を処理する装置５の残りの部分は、ポンプモーター７ｂ又はポンプハウジング７ａの保守又は修理中、組立てたままにでき、従って修理時間を短縮できる。従って、ポンプ支持体７０は比較的長く、ポンプモーター７ｂは適度な範囲移動でき、ポンプモーター７ｂ又はポンプハウジング７ａに大きくアクセスできるようにする。
【００２５】
流体を処理する装置５はハウジング９を有し、ハウジング９は内部に配置した渦流型ノズル組立体１０及びマニホールド８を備え、マニホールド８はポンプ組立体７の出口１１をハウジング９に流体接続する。フレーム６は支持シェルフ７２及びブレース７６を介してハウジング９を支持する。フレーム６は支持シェルフ７２及びブレース７６を介してハウジング９を支持し、従ってマニホールド８を支持し、それらの重さがポンプハウジング７ａに掛からないようにし、ポンプシール、ポンプ軸受及びポンプ軸を、ポンプモーター７ｂとポンプハウジング７ａとの間の接続部における過剰な重さにより生じる垂直な動きによって起きる損傷から保護する。
【００２６】
支持シェルフ７２は、ナットとボルトや締付けねじのような任意の適当な手段を用いてフレーム６に固定する。ブレース７６は溶接のような任意の適当な手段を用いてハウジング９に取付けるが、しかしブレース７６は、マニホールド８及びハウジング９からフレーム６への流体の流れによって発生した音の伝達を阻止するために、音減衰又は吸収ブッシュ７３により支持シェルフ７２に取付ける。この第１実施形態では、ブッシュ７３は音吸収性ゴム部片であり、一方の部片はボルト型であり、他方の部片はナット型である。ナット型部片は、ブレース７６と支持シェルフ７２との間に挿入され、そしてブレース７６と支持シェルフ７２を通る開口と整列される。ボルト型部片は、支持シェルフ７２、ナット型部片の開口及びブレース７６の開口を挿入され、それによりブレース７６を支持シェルフ７２に固定し、しかもそれらの間の音減衰を行う。
【００２７】
この第１実施形態では、音減衰又は音吸収ブッシュ７３について記載したが、当業者には理解されるように、ブレース７６を支持シェルフ７２に固定するのに多くの音減衰又は吸収コネクター又はブッシュを用いることができる。更に、音減衰が必要でない場合には、支持シェルフ７２は、支持シェルフ７２の垂直方向動きによりブレース７６に直接支持シェルフ７２を固定できるようにする多数の接続スロットを備える。
【００２８】
さて図３、図４及び図６を参照すると、マニホールド８は、入口１２、流れ分割装置１３、エルボ１４、１５、及び可撓性継手８０、８１を備える。入口１２は、フランジ及び締付け装置のような任意適当な手段を用いてポンプハウジング７ａの出口１１に接続し、ポンプハウジング７ａから流体の流れを受ける。入口１２は流れ分割装置１３の入口に嵌合し、摩擦、溶接、接着剤によって保持され、流れ分割装置１３へ流体を供給する。流れ分割装置１３は流体の流れを受けて、入口１２からの流体に対して実質的に垂直な流体の流れの方向を変えることで第１の流体の流れと第２の流体の流れとに分割する。流れ分割装置１３はこの第１実施形態では、入口１２からの流体の流れを第１の流体の流れと第２の流体の流れとに平滑に遷移させるように‘Ｙ’字型である。従って、流れ分割装置１３は流体の流れを急に止めたり再指向するのを防止し、それによりこの形式の再指向で生じる放出ヘッドの圧力を低減し、更に二つの結果としての流体の流れの圧力を増大させることができる。
【００２９】
流れ分割装置１３は、摩擦、溶接、接着剤などによりエルボ１４、１５に接続し、第１流体の流れをエルボ１４に供給し、第２流体の流れをエルボ１５に供給する。エルボ１４は、流れ分割装置１３から受けた第１流体の流れを反転して可撓性継手８０に供給する。エルボ１４は、継手ブラケット８２によって可撓性継手８０に接続するエルボ取付け部材１６を備える。同様に、エルボ１５は、流れ分割装置１３から受けた第２流体の流れを反転して可撓性継手８１に供給する。エルボ１５は、継手ブラケット８３によって可撓性継手８１に接続するエルボ取付け部材１８を備える。
【００３０】
ハウジング９は図３に示すようにハウジング取付け部材１７を備え、ハウジング取付け部材１７は継手ブラケット８４によって可撓性継手８０に接続し、第１流体の流れをハウジング９に供給できる。ハウジング９は更にハウジング取付け部材１９を備え、ハウジング取付け部材１９は継手ブラケット８５によって可撓性継手８１に接続し、第２流体の流れをハウジング９に供給できる。可撓性継手８０、８１はこの第１実施形態では、ハウジング９への音の伝達を低減又は除去するようにされた可撓性材料で構成される。しかし、可撓性継手８０、８１及び継手ブラケット８２−８５は防音が望ましい応用においてのみ必要である。非音感応応用では、エルボ１４、１５からハウジング９へ流体の流れを向ける二つのフランジ付き管又は他の手段が利用できる。またこの第１実施形態では、流体の流れをハウジング９内へ供給するマニホールド８について説明したが、当業者には認められるように、ハウジング９に対して二つのポンプ及び別個の接続又は端部分の代りにハウジング９の側部分へ流体を供給する単一ポンプのような多くの他の適当な等価手段を使用できる。
【００３１】
ハウジング９は、入口２１、２２、出口２３、戻り止め２５、２６、端部キャップ８６、８７、及びシリンダー８８を備える。ハウジング９はそれの中心軸線に沿った孔２０及び孔２０と連通するハウジング９の中間点にほぼ中心決めして位置した孔２４を画定する。ハウジング９は継手ブラケット８４、８５によって可撓性継手８０、８１に取付け、入口２１で第１の流体の流れを受け、入口２２で第２の流体の流れを受ける。出口２３は、周知の配管を用いて任意適当な流体貯蔵又は供給システムに接続でき、そしてこの第１実施形態では、出口２３は、流体の流れを水平に素早く向け直して、孔２０、２４内の浸し状態を維持しながら孔２０、２４内の放出ヘッド圧力を抑えることにより出口圧力損失を低減させる。上向き放出構造が望ましいが、他の角度の構造を用いてもよい。
【００３２】
渦流型ノズル組立体１０は孔２０内に配置し、そしてこの第１実施形態では、渦流型ノズル２７、２８を備え、これらの渦流型ノズル２７、２８はハウジング９の孔２０内に対向して位置決めされ、第１流体の流れを第２流体の流れと衝突させ、それにより流れる流体を処理する。渦流型ノズル２７は、戻り止め２５に当接するまで孔２０内に挿入し、端部キャップ８６は摩擦、継手、溶接、接着剤等のような任意適当な手段を用いてシリンダー８８に取付け、ハウジング９の第１側部を形成する。渦流型ノズル２７をハウジング９内に挿入すると、渦流型ノズル２７及びハウジング９は空洞４０を画定し、空洞４０は入口２１からの第１流体の流れを受け、そして第１流体の流れを渦流型ノズル２７へ供給する。同様に、渦流型ノズル２８は、戻り止め２６に当接するまで孔２０内に挿入し、端部キャップ８７は摩擦、継手、溶接、接着剤等のような任意適当な手段を用いてシリンダー８８に取付け、ハウジング９の第２側部を形成する。渦流型ノズル２８をハウジング９内に挿入すると、渦流型ノズル２８及びハウジング９は空洞４１を画定し、空洞４１は入口２２からの第２流体の流れを受け、そして第２流体の流れを渦流型ノズル２８へ供給する。更に、孔２０内に対向して渦流型ノズル２７、２８を位置決めすることにより、衝突室８９が形成され、この衝突室８９内で第１流体の流れと第２流体の流れが衝突する。
【００３３】
図５及び図１１〜図１４に示すように、渦流型ノズル２７はノズル本体２９及び端部キャップ３０を備える。開示のために、渦流型ノズル２７についてのみ以下説明するが、渦流型ノズル２８の設計、構造及び動作は渦流型ノズル２７と同一であり、ただ渦流型ノズル２７と対向してハウジング９の孔２０内に位置決めされ、第２流体の流れと第１流体の流れとの衝突を促進させる。更に、渦流型ノズル２７は以下の設計が好ましいが、当業者には認められるように、特許文献１、２に開示された渦流型ノズルを利用してもよい。
【００３４】
ノズル本体２９はこの第１実施形態では、形状が実質的に円筒状であり、軸線方向にのびるテーパー状の通路３１を備える。テーパー状の通路３１は入口側部３２を備え、その直径は出口側部３３で終端するまで減少する。テーパー状の通路３１のテーパーは０°以上、９０°以下であるが、より一層好ましいテーパーは５°以上、６０°以下である。
【００３５】
ノズル本体２９は肩部３４を備え、肩部３４は隆起部分３５をもち、この隆起部分３５に溝３６が設けられる。肩部３４はハウジング９の内表面に摩擦係合するように寸法決めされ、隆起部分３５は戻り止め２５に当接し、それにより、ハウジング９内に渦流型ノズル２７を正確に配置できる。溝３６は、ノズル本体２９及び従って渦流型ノズル２７をハウジング９内に流体密封するシールを受ける。
【００３６】
ノズル本体２９は更に、渦流型ノズル２７のテーパー状の通路３１内に第１流体の流れを導入するポート３７−３９を備える。この第１実施形態では、ポート３７−３９は実質的に台形を成し、入口側部３２で始まってノズル本体２９のまわりに放射状に等間隔に設けられる。この第１実施形態では、三つの実質的に台形のポート３７−３９について記載したが、当業者に認められるように、実際にはただ一つのポートが必要であり、そして任意の数のポートを利用できる。更に、ポート３７−３９は、テーパー状の通路３１へ流体を供給するのに適した長円形、三角形、Ｄ字形などのような任意の形状であってもよい。
【００３７】
この第１実施形態では、ポート３７−３９はテーパー状の通路３１の内表面に接し、テーパー状の通路３１のテーパーと同じ角度でテーパー状の通路３１に入り、空洞４０からテーパー状の通路３１内への第１流体の流れの供給及び最終的にはテーパー状の通路３１のまわりの第１流体の流れの分布を高める。この第１実施形態では、テーパー状の通路３１のテーパーと角度を成した接線方向のポート３７―３９について記載したが、当業者に認められるように、ポート３７―３９はテーパー状の通路３１のテーパーに対して任意の角度でテーパー状の通路３１に入ることができる。更に、入口側部３２を画定するノズル本体２９の端部はテーパー状の通路３１のテーパーと同じ角度でテーパー状にされ、ポート３７―３９の各々が実質的に台形形状を画定する。
【００３８】
端部キャップ３０は、入口側部３２を密封するため入口側部３２を画定するノズル本体２９の端部に当接し、それにより流体はポート３７―３９だけを介してテーパー状の通路３１に流入できる。従って、入口側部３２を画定するノズル本体２９の端部に当接する端部キャップ３０の内面は、テーパー状の通路３１のテーパーと同じ角度でテーパー状にされる。端部キャップ３０は、締付けねじ、接着剤などのような任意適当な手段を用いて、入口側部３２を画定するノズル本体２９の端部に取付ける。しかし、端部キャップ３０をノズル本体２９と一体に形成できることは理解されるべきである。この第１実施形態では、ポート３７−３９の各々が実質的に台形形状となるように、端部キャップ３０の内面及び入口側部３２を画定するノズル本体２９の端部をテーパー状の通路３１のテーパーと同じ角度でテーパー状にすることについて説明したか、当業者に認められるように、端部キャップ３０の内面及び入口側部３２を画定するノズル本体２９の端部は任意に角度で設けてもよい。
【００３９】
端部キャップ３０はボス４２を備え、このボス４２は端部キャップ３０の内面のほぼ中心に一体的に形成され又は取付けられる。この第１実施形態では、ボス４２は円錐形であり、そしてテーパー状の通路３１内にのびて、テーパー状の通路３１に入る流体の力ベクトル成分を調整する。ボス４２を通る通路４３は、端部キャップ３０の内面のほぼ中心で空洞４４と連通する。導管４５は図５に示すように、空洞４４内に嵌合し、テーパー状の通路３１内の真空度を測定できるようにする。導管案内シール４６は、ねじ嵌合、溶接などのような任意適当な手段を用いて開口４８を介してハウジング９に固定する端部キャップ４７内に嵌合する。端部キャップ４７及び導管案内シール４６の両方は、空洞４０及び従って空洞４４内に導管４５を挿入できる開口を備える。導管案内シール４６は、好ましくは可撓性で柔軟な即ち弾性の材料で構成され、空洞４０内で導管４５は大きく動くことができ、従って空洞４４に導管４５を着座させる能力が大きくなる。導管案内シール４６は自己作動型であり、端部キャップ４７と共に機能して、導管案内シール４６の内側における流体圧が端部キャップ４７に対して導管案内シール４６を強制し、それにより、導管案内シール４６を端部キャップ４７及び導管４５上で変形させて流体密シールを形成する。
【００４０】
空洞４０から渦流型ノズル２７へ供給された第１流体の流れはポート３７−３９を介してテーパー状の通路３１内に流入する。空洞４０を介してポート３７−３９へ第１流体の流れを供給することにより、特殊な流体の流入点に対してポート３７−３９の向きを合わせる必要がなくなるという重要な利点が得られる。テーパー状の通路３１は内部に流体を受け、流体を回転させ、それにより、第１回転流体の流れが生じ、この第１回転流体の流れはテーパー状の通路３１を流下してそれの出口側部３３から出ていく。各ポート３７−３９はテーパー状の通路３１に対して接線方向及び直交方向の両方向の流体の流れ部分を供給する。マルチバンドにおけるこの接線方向及び直交方向の流入により、テーパー状の通路３１のまわりに薄い回転膜として流体を一様に分布させ、内部乱流運動による流体損失最小化する。従って、渦流型ノズル２７は、テーパー状の通路３１の出口側部３３から出て行く回転流体の流れに比較的強くて安定した衝撃を与える。
【００４１】
更に、この第１実施形態では、ポート３７−３９の横断面積はテーパー状の通路３１の入口側３２の横断面積より小さく、回転流体の流れ内に真空を発生する。しかし、当業者に認められるように、ポート３７−３９の寸法は特殊な応用要求に基づいて変えることができる。ポート３７−３９で発生する真空度は、回転流体の流れの力ベクトルを変えるようにボス４２を用いて調整できる。例示的に、ボス４２の寸法（即ち直径か長さ）を大きくすると、流体で満たされ得るテーパー状の通路３１内の容積は減少し、それにより真空度が高くなり、より大きな下方かつ外方の力ベクトル成分をもつ回転流体の流れとなる。
【００４２】
動作において、マニホールド８は前に説明したように組立られ、そしてポンプ組立体７に接続される。各渦流型ノズル２７、２８は前に説明したように、ハウジング９内に対向して挿入され、そしてハウジング９はマニホールド８に接続される。ポンプ組立体７は流体源から流体を汲み上げ、マニホールド８に供給し、マニホールド８は流体を第１流体の流れと第２流体の流れとに分割する。マニホールド８は、第１流体の流れをハウジング９の空洞４０に供給し、そして第２流体の流れをハウジング９の空洞４１に供給する。第１流体の流れは空洞４０から渦流型ノズル２７のポート３７−３９を介して渦流型ノズル２７に入る。渦流型ノズル２７は流体を受け、流体を回転させ、それにより第１回転流体の流れが生じ、第１回転流体の流れは渦流型ノズル２７を流下し、出口側３３を出て衝突室８９に入る。同様に、第２流体の流れは空洞４１から渦流型ノズル２８のポートを介して渦流型ノズル２８に入る。渦流型ノズル２８は流体を受け、流体を回転させ、それにより第２回転流体の流れが生じ、第２回転流体の流れは渦流型ノズル２８を流下し、出口側を出て衝突室８９に入る。渦流型ノズル２７、２８が対向しているため、第１回転流体の流れは衝突室８９内で第２回転流体の流れと衝突し、その結果、流体の分子結合の破壊又は流体内の固体粒子のサイズの減少により流体を処理する。こうして処理した流体は、ハウジング９の出口２３を出て適当な流体貯蔵又は供給システムに送られる。
【００４３】
衝突室８９内にあふれ状態を維持するのに十分な渦流型ノズル２７、２８からの放出を維持するのが好ましい。更に、衝突室８９から出口２３への上向き放出は、渦流型ノズル２７、２８の動作中、衝突室８９があふれ状態のままであることを保証する。これにより、渦流型ノズル２７、２８から放出された回転流体の流れが非あふれ型衝突室構成において生じ得るような出口２３内に流入中に衝突室８９内へ跳ね戻り得る前に放出された流体の流れで分裂されないので、渦流型ノズル２７、２８の効率を高める。
【００４４】
図７〜図１０に示すように、第２実施形態による流体の処理装置１０５はインペラをステージングできるように垂直位置に方向決めしたポンプ１０７を有し、ポンプ１０７は小さな馬力で大きな圧力を発生する。垂直に向けられたポンプは圧力制限があるが、しかしそれらのポンプはエネルギー節約の利点をもたらしながらほとんどの応用に十分適用できる。ポンプ１０７は、流体源の接続点を成す入口１６０及び出口１１１を備える。ポンプ１０７は、装置１０５を通して流体源から流体を汲み上げでき任意のポンプである。流体はこの実施形態では任意の流動性の液体又は気体或いは加圧気体又は液体の流れのもとで供給可能な固体粒子である。この第２実施形態では、流体を供給するポンプ１０７について説明したが、当業者に認められるように、加圧気体キャニスターのような多くの他の適当な等価の手段を用いてもよい。
【００４５】
流体の処理装置１０５は、フレーム１０６及びポンプ支持体１７０を備え、フレーム１０６及びポンプ支持体１７０の両方はリベット留め、締付けねじ、ナットとボルトなどのような任意適当な手段を用いて基部１０６ａに取付けられる。ポンプ支持体１７０はポンプ１０７を支持し、一方、フレーム１０６は、ブレース１７３、１７４及びブラケット１７５、１７６を介してポンプ１０７の入口１６０を支持する。フレーム１０６は、ブレース１７３、１７４及びブラケット１７５、１７６を介して入口１６０を支持し、それで流体源をポンプ１０７に接続するのに用いた配管の重さがポンプ１０７に掛らないようにし、ポンプシール、ポンプ軸受及びポンプ軸を、ポンプモーターとポンプインペラとの間の接続部における過剰な重さにより生じる垂直な動きによって起きる損傷から保護する。
【００４６】
流体を処理する装置１０５はハウジング１０９を有し、ハウジング１０９は内部に配置した渦流型ノズル組立体１１０及びマニホールド１０８を備え、マニホールド１０８はポンプ１０７の出口１１１をハウジング１０９に流体接続する。フレーム１０６はブレース１７３、１７４及びブラケット１７１、１７２を介してハウジング１０９を支持する。フレーム１０６はブレース１７３、１７４及びブラケット１７１、１７２を介してハウジング１０９及び従ってマニホールド１０８を支持し、それらの重さがポンプ１０７に掛からないようにし、ポンプシール、ポンプ軸受及びポンプ軸を、ポンプモーターとポンプインペラとの間の接続部における過剰な重さにより生じる垂直な動きによって起きる損傷から保護する。
【００４７】
マニホールド１０８はこの第２実施形態では、実質的に水平平面に配置され、入口１１２、流れ分割装置１１３、エルボ１１４、１１５、及び可撓性継手１８０、１８１を備える。入口１１２は、フランジ及び締付け装置のような任意適当な手段を用いてポンプ１０７の出口１１１に接続し、ポンプ１０７から流体の流れを受ける。入口１１２は流れ分割装置１１３の入口に嵌合し、摩擦、溶接、接着剤によって保持され、流れ分割装置１１３へ流体を供給する。流れ分割装置１１３は流体の流れを受けて、入口１１２からの流体に対して実質的に垂直な流体の流れの方向を変えることで第１の流体の流れと第２の流体の流れとに分割する。流れ分割装置１１３はこの第２実施形態では、入口１１２からの流体の流れを第１の流体の流れと第２の流体の流れとに平滑に遷移させるように‘Ｙ’字型である。従って、流れ分割装置１１３は流体の流れを急に止めたり向け直すのを防止し、それによりこの形式の再指向で生じる放出ヘッドの圧力を低減し、更に二つの結果としての流体の流れの圧力を増大させることができる。
【００４８】
流れ分割装置１１３は、摩擦、溶接、接着剤などによりエルボ１１４、１１５に接続し、第１流体の流れをエルボ１１４に供給し、第２流体の流れをエルボ１１５に供給する。エルボ１１４は、流れ分割装置１１３から受けた第１流体の流れを反転して可撓性継手１８０に供給する。エルボ１１４は、継手ブラケット１８２によって可撓性継手１８０に接続するエルボ取付け部材１１６を備える。同様に、エルボ１１５は、流れ分割装置１１３から受けた第２流体の流れを反転して可撓性継手１８１に供給する。エルボ１１５は、継手ブラケット１８３によって可撓性継手１８１に接続するエルボ取付け部材１１８を備える。
【００４９】
ハウジング１０９はハウジング取付け部材１１７を備え、ハウジング取付け部材１１７は継手ブラケット１８４によって可撓性継手１８０に接続し、第１流体の流れをハウジング１０９に供給できる。ハウジング１０９は更にハウジング取付け部材１１９を備え、ハウジング取付け部材１１９は継手ブラケット１８５によって可撓性継手１８１に接続し、第２流体の流れをハウジング１０９に供給できる。可撓性継手１８０、１８１はこの第２実施形態では、ハウジング１０９への音の伝達を低減又は除去するようにされた可撓性材料で構成される。しかし、可撓性継手１８０、１８１及び継手ブラケット１８２−１８５は防音が望ましい応用においてのみ必要である。非音感応応用では、エルボ１１４、１１５からハウジング１０９へ流体の流れを向ける二つのフランジ付き管又は他の手段が利用できる。またこの第２実施形態では、流体の流れをハウジング１０９内へ供給するマニホールド１０８について説明したが、当業者には認められるように、ハウジング１０９に対して二つのポンプ及び別個の接続又は端部分の代りにハウジング１０９の側部分へ流体を供給する単一ポンプのような多くの他の適当な等価手段を使用できる。
【００５０】
ハウジング１０９は、入口１２１、１２２、出口１２３、戻り止め１２５、１２６、端部キャップ１８６、１８７、及びシリンダー１８８を備える。ハウジング１０９はそれの中心軸線に沿った孔１２０及び孔１２０と連通するハウジング１０９の中間点にほぼ中心決めして位置した孔１２４を画定する。ハウジング１０９は継手ブラケット１８４、１８５によって可撓性継手１８０、１８１に取付け、入口１２１で第１の流体の流れを受け、入口１２２で第２の流体の流れを受ける。出口１２３は、周知の配管を用いて任意適当な流体貯蔵又は供給システムに接続でき、そしてこの第２実施形態では、出口１２３は、流体の流れを水平に素早く向け直して、孔１２０、１２４内の浸し状態を維持しながら孔１２０、１２４内の放出ヘッド圧力を抑えることにより出口圧力損失を低減させる。上向き放出構造が望ましいが、他の角度の構造を用いてもよい。
【００５１】
渦流型ノズル組立体１１０は孔１２０内に配置し、そしてこの第２実施形態では、渦流型ノズル１２７、１２８を備え、これらの渦流型ノズル１２７、１２８はハウジング１０９の孔１２０内に対向して位置決めされ、第１流体の流れを第２流体の流れと衝突させ、それにより流れる流体を処理する。渦流型ノズル１２７は、戻り止め１２５に当接するまで孔１２０内に挿入し、端部キャップ１８６は摩擦、継手、溶接、接着剤等のような任意適当な手段を用いてシリンダー１８８に取付け、ハウジング１０９の第１側部を形成する。渦流型ノズル１２７をハウジング１０９内に挿入すると、渦流型ノズル１２７及びハウジング１０９は空洞１４０を画定し、空洞１４０は入口１２１からの第１流体の流れを受け、そして第１流体の流れを渦流型ノズル１２７へ供給する。同様に、渦流型ノズル１２８は、戻り止め１２６に当接するまで孔１２０内に挿入し、端部キャップ１８７は摩擦、継手、溶接、接着剤等のような任意適当な手段を用いてシリンダー１８８に取付け、ハウジング１０９の第２側部を形成する。渦流型ノズル１２８をハウジング１０９内に挿入すると、渦流型ノズル１２８及びハウジング１０９は空洞１４１を画定し、空洞１４１は入口１２２からの第２流体の流れを受け、そして第２流体の流れを渦流型ノズル１２８へ供給する。更に、孔１２０内に対向して渦流型ノズル１２７、１２８を位置決めすることにより、衝突室１８９が形成され、この衝突室１８９内で第１流体の流れと第２流体の流れが衝突する。図５及び図１１〜図１４を参照して上記で説明したように、渦流型ノズル１２７，１２８の設計、構造及び動作は同一である。代わりに、特許文献１及び特許文献２に開示された渦流型ノズルを利用してもよい。
【００５２】
動作において、マニホールド１０８は前に説明したように組立てられ、そしてポンプ１０７に接続される。各渦流型ノズル１２７、１２８は前に説明したように、ハウジング１０９内に対向して挿入され、そしてハウジング１０９はマニホールド１０８に接続される。ポンプ１０７は流体源から流体を汲み上げ、マニホールド１０８に供給し、マニホールド１０８は流体を第１流体の流れと第２流体の流れとに分割する。マニホールド１０８は、第１流体の流れをハウジング１０９の空洞１４０に供給し、そして第２流体の流れをハウジング１０９の空洞１４１に供給する。第１流体の流れは空洞１４０から渦流型ノズル１２７のポートを介して渦流型ノズル１２７に流入する。渦流型ノズル１２７は流体を受け、流体を回転させ、それにより第１回転流体の流れが生じ、第１回転流体の流れは渦流型ノズル１２７を流下し、出口側１３３を出て衝突室１８９に流入する。同様に、第２流体の流れは空洞１４１から渦流型ノズル１２８のポートを介して渦流型ノズル１２８に流入する。渦流型ノズル１２８は流体を受け、流体を回転させ、それにより第２回転流体の流れが生じ、第２回転流体の流れは渦流型ノズル１２８を流下し、出口側を出て衝突室１８９に流入する。渦流型ノズル１２７、１２８が対向しているため、第１回転流体の流れは衝突室１８９内で第２回転流体の流れと衝突し、その結果、流体の分子結合が壊れ又は流体内の固体粒子のサイズが減少することにより流体を処理する。こうして処理した流体は、ハウジング９の出口２３を流出して適当な流体貯蔵又は供給システムに送られる。
【００５３】
衝突室１８９内にあふれ状態を維持するのに十分な渦流型ノズル１２７、１２８からの放出を維持するのが好ましい。更に、衝突室１８９から出口１２３への上向き放出により、渦流型ノズル１２７、１２８の動作中、衝突室１８９があふれ状態のままであることを保証する。これにより、渦流型ノズル１２７、１２８から放出された回転流体の流れが非あふれ型衝突室構成において生じ得るような出口１２３内に流入中に衝突室１８９内へ跳ね戻り得る前に放出された流体の流れで分裂されないので、渦流型ノズル１２７、１２８の効率を高める。
【００５４】
本発明を上記の実施形態に関して説明したが、かかる説明は単に例示のためであり、当業者には明らかなように、多くの変更、等価及び種々の程度の変形は本発明の範囲内である。従って、本発明の範囲は上記の説明によっていずれの点でも限定されず、特許請求の範囲によってのみ定義される。
【図面の簡単な説明】
【００５５】
【図１】流体の処理装置のキャビネットを示す斜視図。
【図２】流体の処理装置の第１実施形態による流体供給システムを示す斜視図。
【図３】流体の処理装置の第１実施形態による流体供給システムを示す斜視図。
【図４】流体の処理装置の第１実施形態による流体供給システムを示す斜視図。
【図５】第１実施形態による流体供給システムに収容した渦流型ノズル組立体の渦流型ノズルを示す部分横断面図。
【図６】内部に渦流型ノズル組立体を収容した流体供給システムを示す横断面図。
【図７】流体の処理装置の第２実施形態による流体供給システムを示す斜視図。
【図８】流体の処理装置の第２実施形態による流体供給システムを示す側面図。
【図９】流体の処理装置の第２実施形態による流体供給システムを示す平面図。
【図１０】流体の処理装置の第２実施形態による流体供給システムを示す部分断面正面図。
【図１１】流体の処理装置の渦流型ノズルを示す斜視図。
【図１２】流体の処理装置の渦流型ノズルを示す斜視図。
【図１２】流体の処理装置の渦流型ノズルを示す斜視図。
【図１３】渦流型ノズルの渦流型ノズル本体の入口側を示す立面図。
【図１４】渦流型ノズルの渦流型ノズル本体を示す横断面図である。
【図１】
2005511286.tif 000003
【図２】
2005511286.tif 000004
【図３】
2005511286.tif 000005
【図４】
2005511286.tif 000006
【図５】
2005511286.tif 000007
【図６】
2005511286.tif 000008
【図７】
2005511286.tif 000009
【図８】
2005511286.tif 000010
【図９】
2005511286.tif 000011
【図１０】
2005511286.tif 000012
【図１１】
2005511286.tif 000013
【図１２】
2005511286.tif 000014
【図１３】
2005511286.tif 000015
【図１４】
2005511286.tif 000016
【手続補正書】
【提出日】平成16年8月11日(2004.8.11)
【手続補正１】
【補正対象書類名】特許請求の範囲
【補正対象項目名】全文
【補正方法】変更
【補正の内容】
【特許請求の範囲】
【請求項１】
流体源と結合した入口及び流体源からの出口を備えたポンプ、渦流型ノズル組立体を備えたハウジング、ポンプの出口及びハウジングに結合されたマニホールド、前記ハウジングを支持するフレームを含み、
前記マニホールドは、前記ポンプからの流体の流れを受入れ、その流体の流れを前記ハウジングへ分配される第１及び第２の流体流れに分ける流体の処理装置。
【請求項２】
更にポンプを支持するポンプ支持体を含む請求項１記載の流体の処理装置。
【請求項３】
前記ポンプ支持体は長さにおいてポンプより長く、ポンプのモーターがポンプのハウジングから解放されたときポンプ支持体に沿って摺動することができる請求項２記載の流体の処理装置。
【請求項４】
前記ポンプ支持体は長さにおいてポンプより長く、ポンプのモーターがポンプのハウジングから解放されたときポンプ上で回転することができる請求項２記載の流体の処理装置。
【請求項５】
前記ポンプはポンプインぺラをステージングさせるように垂直に向けられる請求項１記載の流体の処理装置。
【請求項６】
更にフレームを有する請求項１記載の流体の処理装置。
【請求項７】
前記フレームは流体源をポンプに配管接続する重量がポンプ上に置かれることがないようにポンプを支持する請求項１記載の流体の処理装置。
【請求項８】
前記フレームはハウジングを支持する請求項６記載の流体の処理装置。
【請求項９】
更にハウジングからフレームへのノイズの伝達を阻止するようにフレームとハウジングとの間にブッシュを含む請求項８記載の流体の処理装置。
【請求項１０】
前記マニホールドはポンプから流体の流れを受け、流体の流れを第１流体の流れと第２流体の流れとに分ける請求項１記載の流体の処理装置。
【請求項１１】
前記マニホールドはポンプの出口と結合した入口を備える請求項１記載の流体の処理装置。
【請求項１２】
前記マニホールドは入口と結合した流れ分割装置を備え、それにより流れ分割装置が、ポンプから入口を介して流体の流れを受け、流体の流れを第１流体の流れと第２流体の流れとに分ける請求項１１記載の流体の処理装置。
【請求項１３】
前記流れ分割装置が、流体の流れを入口から第１流体の流れ及び第２流体の流れに平滑に遷移させるようにＹ字状に構成される請求項１２記載の流体の処理装置。
【請求項１４】
前記マニホールドは流れ分割装置と結合されかつ第１流体の流れを受けるようにされた第１エルボを備える請求項１２記載の流体の処理装置。
【請求項１５】
前記マニホールドは、流れ分割装置と結合されかつ第２流体の流れを受けるようにされた第２エルボを備える請求項１４記載の流体の処理装置。
【請求項１６】
前記マニホールドは、第１エルボに結合した第１継手を備え、それにより第１継手が第１流体の流れを受け、第１流体の流れをハウジングへ供給する請求項１４記載の流体の処理装置。
【請求項１７】
前記第１継手はマニホールドからハウジングへの音の伝達を低減するように可撓性である請求項１６記載の流体の処理装置。
【請求項１８】
前記マニホールドは第２エルボに結合した第２継手を備え、それにより第２継手が第２流体の流れを受け、第２流体の流れをハウジングへ供給する請求項１５記載の流体の処理装置。
【請求項１９】
前記第２継手は、マニホールドからハウジングへの音の伝達を低減するように可撓性である請求項１８記載の流体の処理装置。
【請求項２０】
前記ハウジングは、第１流体の流れを受ける第１入口及び第２流体の流れを受ける第２入口を備える請求項１０記載の流体の処理装置。
【請求項２１】
前記渦流型ノズル組立体は第１渦流型ノズルを備え、第１渦流型ノズルは、ハウジング内に位置決めした第２渦流型ノズルに相対して、ハウジング内に位置決めされる請求項２０記載の流体の処理装置。
【請求項２２】
前記ハウジングは第１流体の流れを第１渦流型ノズルへ供給する第１空洞を画定し、それにより第１渦流型ノズルが流体を受けて流体を回転させ、それにより第１回転流体の流れを生じさせる請求項２１記載の流体の処理装置。
【請求項２３】
前記ハウジングは、第２流体の流れを第２渦流型ノズルへ供給する第２空洞を画定し、それにより第２渦流型ノズルが流体を受けて流体を回転させ、それにより第２回転流体の流れを生じさせる請求項２１記載の流体の処理装置。
【請求項２４】
前記第２渦流型ノズルに相対して第１渦流型ノズルをハウジング内に位置決めすることで、第１回転流体の流れと第２回転流体の流れとを衝突させる衝突室を画定する請求項２１記載の流体の処理装置。
【請求項２５】
前記衝突室はハウジングの出口に連通する請求項２４記載の流体の処理装置。
【請求項２６】
前記ハウジングの出口は、衝突室内に洪水状態を維持するように衝突室の上方に配置される請求項２５記載の流体の処理装置。
【請求項２７】
前記ハウジングの出口は、衝突室からの流体の流れを水平に再指向させるエルボを備える請求項２５記載の流体の処理装置。
【請求項２８】
前記ハウジングは、渦流型ノズル組立体内の真空度を測定させる開口を備える請求項１記載の流体の処理装置。
【請求項２９】
前記ハウジングは、開口を覆って配置される自己作動シールを備え、自己作動シールは導管の一端が渦流型ノズル組立体の空洞内に位地されることを可能にする請求項２８記載の流体の処理装置。
【請求項３０】
前記自己作動シールは端部キャップ内に嵌合する案内シールである請求項２９記載の流体の処理装置。
【請求項３１】
更に前記ポンプ、ハウジング、マニホルド及びフレーム上に配置できるキャビネットを含む請求項１記載の流体の処理装置。
【請求項３２】
前記キャビネットはマニホールド及びハウジング内を動く流体によって発生した雑音を低減する音響壁を備える請求項３１記載の流体の処理装置。
【請求項３３】
第１渦流型ノズルを第２渦流型ノズルに対向して位置決めする段階、第１渦流型ノズルを取り巻く空洞内に第１流体の流れを流入させる段階、第１流体の流れから第１渦流型ノズルへ流体を流入して第１回転流体の流れを生じさせる段階、第２渦流型ノズルを取り巻く空洞内に第２流体の流れを流入させる段階、第２流体の流れから第２渦流型ノズルへ流体を流入して第２回転流体の流れを生じさせる段階、及び衝突室で第１回転流体の流れを第２回転流体の流れに衝突させる段階を含む流体の処理方法。
【請求項３４】
更に前記衝突室から衝突室の上方に位置した出口を通って流体を送出する段階を含む請求項３３記載の流体の処理方法。
【請求項３５】
更に流体源から流体の流れを供給する段階、及び流体の流れをマニホールドに流入して第１流体の流れと第２流体の流れとに分ける段階を含む請求項３３記載の流体の処理方法。
【請求項３６】
前記マニホールドは流体の流れを第１流体の流れ及び第２流体の流れに平滑に遷移させるようにＹ字状流れ分割装置を備える請求項３５記載の流体の処理方法。
【請求項３７】
前記マニホールドは音減衰を行うように可撓性である継手を備える請求項３５記載の流体の処理方法。
【請求項３８】
真空測定を行う渦流型ノズルを製造する方法であって、
内部に渦流型ノズルを備えるハウジングへ開口を介し導管を挿入する段階、渦流型ノズルの空洞内に導管の一端を配置する段階、開口上に自己作動シールを固定する段階を含む方法。
【国際調査報告】
2005511286.tif 000017
2005511286.tif 000018
2005511286.tif 000019